【事件の表示】
　特許第３３２８６７９号「写真シール自動販売用描画方法および写真シール自動販売機」の請求項１から請求項１２までに係る特許に対する特許異議の申立てについて、次のとおり決定する。
【結　論】
　訂正を認める。
　特許第３３２８６７９号の請求項１から請求項８までに係る特許を維持する。
【理　由】
第一．手続の経緯
　特許第３３２８６７９号（請求項の数１２）に係る出願は、平成１３年４月６日の出願であり、その発明について、平成１４年７月１９日に特許権の設定の登録があった。
　その後、その請求項１から請求項１２まで（全請求項）に係る特許について、平成１５年３月１９日に特許異議申立人・山口知子から、平成１５年３月２０日に特許異議申立人・上杉則亮から、平成１５年３月３１日に特許異議申立人・藤田忍から、それぞれ、特許異議の申立てがあった。
　平成１６年５月１８日付けで取消しの理由が通知されたところ、同通知において指定された期間内に訂正請求書（平成１６年７月２７日付け）が提出された。
　
第二．訂正の請求
　〈結論〉
　訂正を認める。
　〈理由〉
１．請求の内容等
　（ａ）請求の趣旨
　本件訂正の請求（平成１６年７月２７日付け）の趣旨は、願書に添付した明細書（特許明細書）を訂正請求書に添付した訂正した明細書（訂正明細書）のとおりに訂正することを求めるものである。
　（ｂ）訂正の内容
　（ｂ1）訂正事項ａ
　請求項１を、特許請求の範囲の限縮を目的として、「映像を撮影するカメラと、画像を表示するディスプレイと、操作を入力する入力手段と、画像を印刷するプリンタと、これらを制御する制御手段とを備え、前記カメラで撮影した撮影画像を前記ディスプレイに表示して、該撮影画像に描画用画像を前記入力手段で描画し、描画した前記撮影画像を前記プリン夕で印刷する写真シール自動販売用描画方法であって、前記入力手段をタッチパネルとタッチペンにて形成し、前記制御手段で制御して、タッチペンでタッチパネルをタッチしたディスプレイ上の指定位置に、前記描画用画像をタッチされたときから時間と共に変化させて表示し、タッチペンがタッチパネルから離されたときに表示している描画用画像を描画すると共に、該描画用画像の変化は所定の表示順序のサイクルを繰り返して表示する写真シール自動販売用描画方法。」（訂正後）と訂正する。
　（ｂ2）訂正事項ｂ
　請求項５および請求項６を、特許請求の範囲の限縮を目的として、削除する。
　（ｂ3）訂正事項ｃ
　請求項７を、特許請求の範囲の減縮および誤記の訂正を目的として、請求項５とした上で、「映像を撮影するカメラと、画像を表示するディスプレイと、操作を入力する入力手段と、画像を印刷するプリンタと、これらを制御する制御手段とを備え、前記カメラで撮影した撮影画像を前記ディスプレイに表示して、該撮影画像に描画用画像を前記入力手段で描画し、描画した前記撮影画像を前記プリンタで印刷する写真シール自動販売機であって、前記入力手段をタッチパネルとタッチペンにて形成し、前記制御手段に、タッチペンでタッチパネルをタッチしたディスプレイ上の指定位置に、前記描画用画像をタッチされたときから時間と共に変化させて表示し、タッチペンをタッチパネルから離されたときに表示している描画用画像を描画すると共に、該描画用画像の変化は所定の表示順序のサイクルを繰り返して表示する制御機能を設定した写真シール自動販売機。」（訂正後）と訂正する。
　（ｂ4）訂正事項ｄ、ｅ、ｆ
　明りようでない記載の釈明を目的として、以下のとおり訂正する。
　　・請求項８を請求項６とする。引用する請求項を請求項５とする。
　　・請求項９を請求項７とする。引用する請求項を請求項５とする。
　　・請求項１０を請求項８とする。引用する請求項を請求項５、６又は７　　　とする。
　（ｂ5）訂正事項ｇ
　請求項１１および請求項１２を、特許請求の範囲の限縮を目的として、削除する。
　（ｂ6）訂正事項ｈ、ｉ、ｊ、ｋ
　明りようでない記載の釈明を目的として、以下のとおり訂正する。
　　・段落0006を訂正する。
　　・段落0007と段落0008の間に新たな段落0008を追加する。
　　・段落0014から段落0018までを削除する。
　　・上記段落の追加および削除に伴い段落番号を繰り上げる。
　
２．訂正の適合性
　（ａ）訂正の目的
　（ａ1）訂正事項ａについて
　訂正前に記載のあった「入力手段」を「タッチパネルとタッチペンにて形成し」と限定し、同じく「時間と共に変化させて表示し」の開始時点を「タッチされたときから」と限定し、同じく「時間と共に変化させて表示し」の変化態様を「所定の表示順序のサイクルを繰り返して表示する」と限定するものである。特許請求の範囲の限縮に該当する。
　（ａ2）訂正事項ｂについて
　請求項を削除するものであり、特許請求の範囲の限縮に該当する。
　（ａ3）訂正事項ｃについて
　記載事項については、訂正事項aと同様の訂正であり、特許請求の範囲の減縮に該当する。請求項の番号については、請求項５および請求項６の削除に伴う番号の繰上げであり、明りょうでない記載の釈明に該当する。
　（ａ4）訂正事項ｄ、ｅ、ｆについて
　いずれも、請求項７を請求項５に繰上げたこと（訂正事項ｃ）に伴い、請求項の番号および請求項間の従属関係を整理したものであり、明りょうでない記載の釈明に該当する。
　（ａ5）訂正事項ｇについて
　請求項を削除するものであり、特許請求の範囲の限縮に該当する。
　（ａ6）訂正事項ｈ、ｉ、ｊ、ｋについて
　いずれも、特許請求の範囲の訂正との整合性を図るように発明の詳細な説明の記載を整理したものであり、明りょうでない記載の釈明に該当する。
　（ｂ）訂正の範囲
　訂正事項ａ、訂正事項ｃ、訂正事項ｈ（段落0006の訂正）および訂正事項ｉ（段落0008の追加）は、特許明細書の段落0090から段落0094まで、段落0097から段落0101まで、段落0105から段落0109まで、に記載されている。
　したがって、訂正事項ａから訂正事項ｋまでは、いずれも、願書に添付した明細書又は図面に記載した事項の範囲内においてする訂正である。
　（ｃ）特許請求の範囲の拡張・変更
　訂正事項ａから訂正事項ｋまでは、訂正の前後において、特許請求の範囲の記載された用語の意義の解釈、産業上の利用分野、解決しようとする課題及び効果に変更をもたらすものではない。
　したがって、訂正事項ａから訂正事項ｋまでは、いずれも、実質上特許請求の範囲を拡張し又は変更するものではない。
　
３．まとめ
　以上、本件訂正は、特許法（特許法等の一部を改正する法律（平成１５年５月２３日法律第４７号）により改正される前の特許法）第１２０条の４第２項の規定に適合し、かつ、同条第３項において準用する特許法第１２６条第２項及び第３項の規定にも適合するから、これを認める。
　
第三．本件発明
　前述のとおり、訂正を認める。
　訂正後の請求項１から請求項８までに係る発明（以下、まとめて、本件発明ともいう）は、それぞれ、訂正明細書の特許請求の範囲の請求項１から請求項８までに記載された事項によりに特定されるところの、下記のとおりのものである。
　　　　　記（訂正後の特許請求の範囲）
　【請求項１】
　映像を撮影するカメラと、画像を表示するディスプレイと、操作を入力する入力手段と、画像を印刷するプリンタと、これらを制御する制御手段とを備え、前記カメラで撮影した撮影画像を前記ディスプレイに表示して、該撮影画像に描画用画像を前記入力手段で描画し、描画した前記撮影画像を前記プリンタで印刷する写真シール自動販売用描画方法であって、
　前記入力手段をタッチパネルとタッチペンにて形成し、
　前記制御手段で制御して、タッチペンでタッチパネルをタッチしたディスプレイ上の指定位置に、前記描画用画像をタッチされたときから時間と共に変化させて表示し、タッチペンがタッチパネルから離されたときに表示している描画用画像を描画すると共に、
　該描画用画像の変化は所定の表示順序のサイクルを繰り返して表示する
　写真シール自動販売用描画方法。
　【請求項２】
　前記制御手段で制御して複数種類の描画用画像を入れ替えて表示して前記描画用画像を時間と共に変化させる請求項１記載の写真シール自動販売用描画方法。
　【請求項３】
　前記制御手段で制御して複数種類の描画用画像を順次重ねて表示する追加合成表示によって前記描画用画像を時間と共に変化させる請求項１記載の写真シール自動販売用描画方法。
　【請求項４】
　前記制御手段で制御して前記撮影画像に対する前記描画用画像の表示位置を、入力手段で指定した指定位置を基準とする所定の表示範囲内でランダムに変化させる請求項１、２又は３記載の写真シール自動販売用描画方法。
　【請求項５】
　映像を撮影するカメラと、画像を表示するディスプレイと、操作を入力する入力手段と、画像を印刷するプリンタと、これらを制御する制御手段とを備え、前記カメラで撮影した撮影画像を前記ディスプレイに表示して、該撮影画像に描画用画像を前記入力手段で描画し、描画した前記撮影画像を前記プリンタで印刷する写真シール自動販売機であって、
　前記入力手段をタッチパネルとタッチペンにて形成し、
　前記制御手段に、タッチペンでタッチパネルをタッチしたディスプレイ上の指定位置に、前記描画用画像をタッチされたときから時間と共に変化させて表示し、タッチペンをタッチパネルから離されたときに表示している描画用画像を描画すると共に、
　該描画用画像の変化は所定の表示順序のサイクルを繰り返して表示する制御機能を設定した
　写真シール自動販売機。
　【請求項６】
　前記制御手段に、複数種類の描画用画像を入れ替えて表示して前記描画用画像を時間と共に変化させる制御機能を設定した請求項５記載の写真シール自動販売機。
　【請求項７】
　前記制御手段に、複数種類の描画用画像を順次重ねて表示する追加合成表示によって前記描画用画像を時間と共に変化させる制御機能を設定した請求項５記載の写真シール自動販売機。
　【請求項８】
　前記制御手段に、前記撮影画像に対する前記描画用画像の表示位置を、入力手段で指定した指定位置を基準とする所定の表示範囲内でランダムに変化させる制御機能を設定した請求項５、６又は７記載の写真シール自動販売機。
　
第四．特許異議の申立て
１．申立ての概要
　特許異議の申立ての理由は、概略、下記のとおりである。
　　　　　記（申立ての理由）
　（ａ）特許異議申立人・山口知子
　〈理由１〉
　　対象請求項：請求項１および請求項７
　　違反条項　：特許法第２９条第１項第３号
　　証拠方法　：特開平１１−１６７６７４号公報（甲１）
　〈理由２〉
　　対象請求項：請求項１から請求項１２まで
　　違反条項　：特許法第２９条第２項
　　証拠方法　：特開平１１−１６７６７４号公報（甲１）
　　　　　　　　特開平１０−２８２５７１号公報（甲２）
　　　　　　　　特開平９−２１２２８５号公報（甲３）
　　　　　　　　特開平９−１６７０５８号公報（甲４）
　　　　　　　　特開２００１−７５７２１号公報（甲５）
　　　　　　　　特開平９−２９７８５８号公報（甲６）
　〈理由３〉
　　違反条項　：特許法第３６条第６項第２号または第４項
　（ｂ）特許異議申立人・上杉則亮
　〈理由１〉
　　対象請求項：請求項１から請求項１２まで
　　違反条項　：特許法第２９条第１項第１号
　　証拠方法　：雑誌「月刊コインジャーナル」（甲５）
　　　　　　　　資料「チャオッピ！ソフトバージョンアップのご案内」
　　　　　　　　　　　　　　　　　　　　　　　　　　　　　（甲６）
　　　　　　　　CD-ROM（甲８）内のファイルのプリントアウト（甲７）
　　　　　　　　CD-ROM「バージョンアップCD-ROM」（甲８）
　〈理由２〉
　　対象請求項：請求項１から請求項１２まで
　　違反条項　：特許法第２９条第２項
　　証拠方法　：特開平１０−２８２５７１号公報（甲１）
　　　　　　　　特開平１０−２３９７３６号公報（甲２）
　　　　　　　　実用新案登録第３０６４４８６号公報（甲３）
　　　　　　　　特開平１０−１０８１１２号公報（甲４）
　（ｃ）特許異議申立人・藤田忍
　　対象請求項：請求項１から請求項１２まで
　　違反条項　：特許法第２９条第２項
　　証拠方法　：特開平１１−２３４６０２号公報（甲２）
　　　　　　　　特開２０００−６９４０４号公報（甲３）
　　　　　　　　特開２００１−７５４９８号公報（甲４）
　　　　　　　　「＠Ｎｉｆｔｙ」ホームページプリントアウト（甲５）
　　　　　　　　特開平１１−１８５１５２号公報（甲６）
　　　　　　　　特開平７−１９９８８９号公報（甲７）
　
２．取消しの理由
　当審が通知した取消しの理由は、概略、下記のとおりである。
　　　　　記（取消しの理由）
〈理由１〉
　請求項１から請求項１２までに係る発明は、いずれも、下記刊行物に記載された各発明に基づいて当業者が容易に発明をすることができたものであるから、特許法第２９条第２項の規定に違反してされたものである。
　　　　　記
　刊行物１：特開平１１−１６７６７４号公報（山口甲１）
　刊行物２：特開平１０−２８２５７１号公報（山口甲２、上杉甲１）
　刊行部３：特開平１１−１８５１５２号公報（藤田甲６）
　刊行物４：実用新案登録第３０６４４８６号公報（上杉甲３）
　刊行物５：特開平９−２９７８５８号公報（山口甲６）
〈理由２〉
　請求項１から請求項１２までに係る発明は、いずれも、その出願前日本国内において公然知られた発明であるから、特許法第２９条第１項第１号の規定に違反してされたものである。証拠として、申立人上杉則亮が提出した甲第５号証から甲第８号証までを援用する。
〈理由３〉
　本件特許は、特許法第３６条第６項第２号または第４項の規定にする要件を満たしていない特許出願に対してされたものである。
　
３．申立ての理由の検討
（１）特許法第２９条第１項第３号、同条第２項
（１−１）（ａ）各申立人が提出した証拠方法（刊行物）のいずれにも、訂正後の請求項１から請求項８までに係る各発明が備える下記の構成は記載されていない。
　　　　　記（訂正後の請求項に係る各発明が備える構成）
　タッチペンでタッチパネルをタッチしたディスプレイ上の指定位置に、前記描画用画像をタッチされたときから時間と共に変化させて表示し、タッチペンがタッチパネルから離されたときに表示している描画用画像を描画すると共に、描画用画像の変化は所定の表示順序のサイクルを繰り返して表示すること
　（ｂ）そして、訂正後の請求項に係る各発明は、上記構成を備えることにより、「また、描画用画像の変化は使用して初めて見ることができるため、指定した位置での描画用画像の変化自体を楽しむことができる。さらに、描画用画像の位置および変化によっては、利用者が意図する描画効果と異なる描画効果を発見できるため、落書きに対する娯楽性がより一層向上する。」（訂正明細書の段落0109、段落0110）との効果を奏するものである。
　（ｃ）以上、訂正後の請求項１から請求項８までに係る発明は、いずれも、各申立人が提出した証拠方法（刊行物）に記載された発明であるとも、また、同記載された発明に基づいて当業者が容易に発明をすることができたものであるとも、言うことはできない。
（１−２）証拠方法（刊行物）の検討
　（ａ）申立人・山口知子の証拠方法
　（ａ1）
特開平１１−１６７６７４号公報
　ここで、変化の態様は、同一パーツの大きさの変化（縮小・拡大）であり、「所定の表示順序のサイクルを繰り返して表示する」ものではない。また、その変化は指の回転操作により始まるものであり、その大きさは回転の変化量に応じて変化する。指の離接を契機として変化するものではなく、本願発明のように、タッチペン（指）の「タッチされたときから」および「離されたときに」によるものではない。
　（ａ2）
特開平１０−２８２５７１号公報
　しかし、「（ａ）→（ｂ）→（ｃ）→（ｄ）の順番」との記載があるだけで、「所定の表示順序のサイクルを繰り返して表示する」旨の記載はない。また、表示される動画像はフレーム画像であり、しかも、撮影開始前に選択されるものである。本件発明のように「撮影画像に描画用画像を・・描画（し）」するものではない。
　（ａ3）
特開平９−２１２２８５号公報
　
特開平９−１６７０５８号公報
　
特開２００１−７５７２１号公報
　上記各公報は、いずれも、本願発明のような「写真シール自動販売」の分野とは分野が異なるものである。また、上記選択肢、メニュー項目及び候補図形は、本件発明のように「撮影画像に描画用画像を・・描画（し）」するものでもない。
　（ａ4）
特開平９−２９７８５８号公報
　（ｂ）申立人・上杉則亮の証拠方法
　
特開平１０−２３９７３６号公報
　
実用新案登録第３０６４４８６号公報
　
特開平１０−１０８１１２号公報
　上記各公報は、いずれも、「所定の表示順序のサイクルを繰り返して表示する」ものではない。
　（ｃ）申立人・藤田忍の証拠方法
　
特開平１１−２３４６０２号公報
　
特開２０００−６９４０４号公報
　
特開２００１−７５４９８号公報
　
「＠Ｎｉｆｔｙ」ホームページプリントアウト
　
特開平１１−１８５１５２号公報
　
特開平７−１９９８８９号公報
　上記各公報は、いずれも、「所定の表示順序のサイクルを繰り返して表示する」ものではない。
（２）特許法第２９条第１項第１号
　申立人・上杉則亮が提出した甲第５号証から甲第８号証までからは、上記した訂正後の請求項に係る各発明が備える構成を認定することができない。したがって、これらの証拠方法を根拠としては、訂正後の請求項１から請求項１２までに係る各発明が本願出願前日本国内において公然知られた発明であると言うことはできない。
（３）特許法第３６条
　申立人・山口知子は下記（ａ）〜（ｅ）の主張をするが（申立書27頁〜30頁）、以下のとおり採用することはできない。
　　　　　記（主張）
　（ａ）請求項３および請求項９の記載からは、実際に描画される画像が、「ａ．順次重ねて表示される複数種類の描画用画像のいずれか」であるのか「ｂ．（順次重ねて表示される）複数種類の描画用画像が互いに重畳された状態の画像」であるのか、関連する記載（段落0095〜段落0102、図９）を参酌しても明確ではない。
　（ｂ）「共有メモリ４ｂ」および「ローカルメモリ４ａ」につきその構成および他の構成要素との関係が記載されていないので、段落0080以降に記載されたハードウエア上の処理の実現性を把握できない。
　（ｃ）段落0089、段落0096、段落0104に記載された「アクションスタンプａ（およびｂ、ｃ）」が指すもの、および、「元となる」の意味が不明である。
　（ｄ）「落書き画像」なる用語が互いに異なる概念で使用されている。
　（ｅ）本件明細書に記載された「好みのタイプのペンを探す」ことは従来技術と同じ操作である。本件発明が、「この発明により・・好みのタイプのペンを探す利用者の探しやすさを向上し、」（段落0108）との効果を如何にして奏するのか明確に記載されていない。
　　　　　記（採用できない理由）
　主張（ａ）について
　訂正により、請求項１は、「タッチペンがタッチパネルから離れたときに表示している描画用画像を描画する」と訂正され、実際に描画される画像は、変化の途中の画像であることが明確となった。請求項３は「追加合成表示よって前記描画用画像を時間と共に変化させる」ものであり、しかも、請求項１を引用することから、その実際に描画される画像は、「ｂ．複数種類の描画用画像が互いに重畳された状態の画像」であることは明らかである。
　また、本件の目的は、「その変化の中から好みの描画用画像を決定すればよいので、多量に並べられた描画用画像から好みの画像を探すわずらわしさを軽減できる。」（段落0007）ことにあるから、タッチペンが離される時点としては、「・・離されると、その時点で表示しているアクションスタンプｂの状態、つまり（１）の状態」（段落0095〜段落0102、図９）に限らず、図９（２）〜（３）の状態も想定されていることも明らかである。
　主張（ｂ）について
　ハードウエアについては段落0025〜段落0079にも記載がある。これらの記載をも参照すれば、「共有メモリ４ｂ」および「ローカルメモリ４ａ」に関して現記載以上の記載がなくとも、当業者は、段落0080〜段落0085に記載された処理を容易に理解することができる。
　主張（ｃ）について
　段落0087の記載をも参照して段落0089、段落0096および段落0104の記載を理解すれば、指摘のような不明な点はない。
　主張（ｄ）について
　確かに、「落書き画像」の用法につき一部混乱が見られるが、本件発明の理解と実施に影響を及ぼす程ではない。
　主張（ｅ）について
　本件発明の効果は、前記のとおり、訂正明細書の段落0109および段落0110にも記載されている。上記段落0108の記載の存在は、本件発明の理解と実施を妨げるものではない。
　
第五．むすび
　以上のとおり、訂正後の請求項１から請求項８までに係る特許は、いずれも、特許異議の申立ての理由及び証拠によっては取り消すことができない。
　よって、結論のとおり決定をする。
【異議決定日】
平成１６年１０月２８日（２００４．１０．２８）
【訂正の要旨】
審決（決定）の【理由】欄参照。
（５４）【発明の名称】
写真シール自動販売用描画方法および写真シール自動販売機
（５７）【特許請求の範囲】
　【請求項１】
　映像を撮影するカメラと、画像を表示するディスプレイと、操作を入力する入力手段と、画像を印刷するプリンタと、これらを制御する制御手段とを備え、前記カメラで撮影した撮影画像を前記ディスプレイに表示して、該撮影画像に描画用画像を前記入力手段で描画し、描画した前記撮影画像を前記プリンタで印刷する写真シール自動販売用描画方法であって、
前記入力手段をタッチパネルとタッチペンにて形成し、
前記制御手段で制御して、
タッチペンでタッチパネルをタッチしたディスプレイ上の指定位置に、前記描画用画像をタッチされたときから時間と共に変化させて表示し、タッチペンがタッチパネルから離されたときに表示している描画用画像を描画すると共に、
該描画用画像の変化は所定の表示順序のサイクルを繰り返して表示する
写真シール自動販売用描画方法。
　【請求項２】
　前記制御手段で制御して複数種類の描画用画像を入れ替えて表示して前記描画用画像を時間と共に変化させる
請求項１記載の写真シール自動販売用描画方法。
　【請求項３】
　前記制御手段で制御して複数種類の描画用画像を順次重ねて表示する追加合成表示によって前記描画用画像を時間と共に変化させる
請求項１記載の写真シール自動販売用描画方法。
　【請求項４】
　前記制御手段で制御して前記撮影画像に対する前記描画用画像の表示位置を、入力手段で指定した指定位置を基準とする所定の表示範囲内でランダムに変化させる
請求項１、２又は３記載の写真シール自動販売用描画方法。
　【請求項５】
　映像を撮影するカメラと、画像を表示するディスプレイと、操作を入力する入力手段と、画像を印刷するプリンタと、これらを制御する制御手段とを備え、前記カメラで撮影した撮影画像を前記ディスプレイに表示して、該撮影画像に描画用画像を前記入力手段で描画し、描画した前記撮影画像を前記プリンタで印刷する写真シール自動販売機であって、
前記入力手段をタッチパネルとタッチペンにて形成し、
前記制御手段に、
タッチペンでタッチパネルをタッチしたディスプレイ上の指定位置に、前記描画用画像をタッチされたときから時間と共に変化させて表示し、タッチペンをタッチパネルから離されたときに表示している描画用画像を描画すると共に、
該描画用画像の変化は所定の表示順序のサイクルを繰り返して表示する制御機能を設定した
写真シール自動販売機
　【請求項６】
　前記制御手段に、複数種類の描画用画像を入れ替えて表示して前記描画用画像を時間と共に変化させる制御機能を設定した
請求項
５
　【請求項７】
　前記制御手段に、複数種類の描画用画像を順次重ねて表示する追加合成表示によって前記描画用画像を時間と共に変化させる制御機能を設定した
請求項
５
　【請求項８】
　前記制御手段に、前記撮影画像に対する前記描画用画像の表示位置を、入力手段で指定した指定位置を基準とする所定の表示範囲内でランダムに変化させる制御機能を設定した
請求項
５、６又は７
【発明の詳細な説明】
　【０００１】
　【発明の属する技術分野】
　この発明は、例えばゲームセンター等のアミューズメント施設において、デジタルカメラ等のカメラで写真を撮影し、その撮影画像をディスプレイに表示し、該撮影画像に対する描画用画像を入力手段で描画し、完成した画像をプリンタにてシール紙に印刷するような写真シール自動販売用描画方法および写真シール自動販売機に関する。
　【０００２】
　【従来の技術】
　従来、デジタルカメラ等のカメラで撮影した撮影画像に対し、娯楽性を高めるためにタッチペン等の入力手段にて撮影画像に落書きができる写真シール自動販売機が提供されている。その落書き方法は、色や太さ、模様等が異なる複数タイプのペン（ブラシ）をディスプレイに表示して利用者に選択させ、ディスプレイに表示した撮影画像の上に、利用者によってタッチペンで描かれた点又は線が選択されたタイプのペンにて描かれるようになっている。
　【０００３】
　【発明が解決しようとする課題】
　しかし、ディスプレイに表示できる面積は限られるため、利用者が選択できるペンのタイプもそれに合わせて限られてしまう。表示方法を工夫して選択できるペンのタイプを大幅に増加させると、今度は利用者がたくさん並べられたペンから好みのタイプのペンを探すのがわずらわしくなり、選択に要する時間も増加するという問題が発生する。
　【０００４】
　また、落書きは写真シールの仕上がりを楽しむのが目的となっており、落書きを行うこと自体に対する娯楽性は乏しかった。
　【０００５】
　この発明は、好みのタイプのペンを探す利用者の探しやすさを向上し、選択できるペンのタイプも増加させ、落書きを行うこと自体に対する娯楽性をも高めた写真シール自動販売用描画方法および写真シール自動販売機を提案することを目的とする。
　【０００６】
　【課題を解決するための手段】
　この発明は、映像を撮影するカメラと、画像を表示するディスプレイと、操作を入力する入力手段と、画像を印刷するプリンタと、これらを制御する制御手段とを備え、前記カメラで撮影した撮影画像を前記ディスプレイに表示して、該撮影画像に描画用画像を前記入力手段で描画し、描画した前記撮影画像を前記プリンタで印刷する写真シール自動販売用描画方法又は写真シール自動販売機であって、
前記入力手段をタッチパネルとタッチペンにて形成し、
タッチペンでタッチパネルをタッチしたディスプレイ上の指定位置に、前記描画用画像をタッチされたときから時間と共に変化させて表示し、タッチペンがタッチパネルから離されたときに表示している描画用画像を描画すると共に、該描画用画像の変化は所定の表示順序のサイクルを繰り返して表示する
　【０００７】
　すなわち、利用者は指定した表示位置で描画用画像の変化を楽しむことができ、その変化の中から好みの描画用画像を決定すればよいので、多量に並べられた描画用画像から好みの画像を探すわずらわしさを軽減できる。
　【０００８】
　
前記入力手段をタッチパネルとタッチペンにて形成し、前記制御手段で制御して、タッチペンでタッチパネルをタッチされたときから前記描画用画像の表示及び変化を開始し、タッチペンをタッチパネルから離されたときに表示している描画用画像を描画することにより、利用者はタッチペンでタッチパネルをタッチして描画用画像の表示及び変化を開始させ、好みの描画用画像が表示された時点でタッチペンをタッチパネルから離す事により、描画用画像を決定することができる。
　【０００９】
　好ましい実施の形態として、前記制御手段で制御して複数種類の描画用画像を入れ替えて表示して前記描画用画像を時間と共に変化させるようにすることができる。
　【００１０】
　すなわち、前記描画用画像を異なる描画用画像と次々に置き換えて表示することにより、利用者は描画用画像の入れ替わりを楽しむことができる。
　【００１１】
　好ましい実施の形態として、前記制御手段で制御して複数種類の描画用画像を順次重ねて表示する追加合成表示によって前記描画用画像を時間と共に変化させるようにすることができる。
　【００１２】
　すなわち、前記描画用画像を異なる描画用画像と次々に重ねて追加合成表示することにより、利用者は描画用画像の重なりの変化を楽しむことができる。
　【００１３】
　好ましい実施の形態として、前記制御手段で制御して前記撮影画像に対する前記描画用画像の表示位置を、入力手段で指定した指定位置を基準とする所定の範囲内でランダムに変化させるようにすることができる。
　【００１４】
　すなわち、所定の範囲内で表示位置がランダムに変化する事により、利用者が意図しない描画効果も現れ、その効果を楽しむことができる。
　【００１５】
　
上
　【００１６】
　【発明の実施の形態】
　この発明の一実施形態を、図面と共に説明する。
図１は、写真シール自動販売機１の外観を示した斜視図である。写真シール自動販売機１はボックス状の枠で囲まれ、その一側面には筐体１１が設置され、その他の側面は適宜のカーテン材で囲繞される。
　【００１７】
　筐体１１の正面上部には、デジタルカメラ７ａを中央に備え、その左右を挟むようにして内側にはデジタルカメラ７ａの照明としてストロボ発光するストロボ照明装置８ａを、外側には蛍光灯からなる蛍光灯照明装置８ｂをそれぞれ左右対称に備える。
　【００１８】
　筐体１１の正面中央の傾斜面部には、画像を表示するディスプレイ９を備え、該ディスプレイ９にはタッチパネルを重ねて設け、タッチペン５ａによって落書き等をペンタッチ入力する入力装置を備える。
　【００１９】
　筐体１１の正面下部には、貨幣（例えば硬貨）を投入する投入口６ａを備え、その右側側面に写真シール１４を印刷して排出するプリンタ１０を備える。
　【００２０】
　写真シール自動販売機１の枠部の天井中央には、デジタルカメラ７ｂと該デジタルカメラ７ｂで撮影した画像を表示するモニタ１２を備え、底部両側面には、主に上述の天井用デジタルカメラ７ｂの照明としてストロボ発光するストロボ照明装置８ｃを備える。
　【００２１】
　図２は写真シール自動販売機１の制御回路ブロックを示し、制御部は筐体１１の内部に形成される。
該制御部は、ＲＯＭ２、ＣＰＵ３、ＲＡＭ４を備え、ＣＰＵ３はＲＯＭ２に格納されているプログラムを読み込んで制御処理を実行し、ＲＡＭ４に処理用データの読書きを行う。
　【００２２】
ヘ　入力装置５は、前述したようにディスプレイ９に設けられたタッチパネルとタッチペン５ａとにより形成され、利用者にタッチペン５ａで操作された内容に該当する信号を入力信号としてＣＰＵ３に送信する。
　【００２３】
　貨幣処理装置６は、前述の投入口６ａの内部に設けられ、投入された貨幣（例えば硬貨）の真偽判別、金種判別を行い、投入金額を処理信号としてＣＰＵ３に送信する。
　【００２４】
　デジタルカメラ７は、ＣＰＵ３より切替え装置１３を通してシャッタ信号を受取り、動画データや静止画データといった画像データをＣＰＵ３に送信する。なお、デジタルカメラ７は、撮影角度を変更するために正面に設けられたデジタルカメラ７ａと天井に設けられたデジタルカメラ７ｂがあるが、機能的には同じものとする。
　【００２５】
　モニタ１２は、天井のデジタルカメラ７ｂより受信するビデオ出力信号を受信し、該信号に従って画像を表示する。
　【００２６】
　ストロボ照明装置８ａ、８ｃは、それぞれＣＰＵ３からの照明制御信号に従ってストロボ発光を実行する。
　【００２７】
　蛍光灯照明装置８ｂは、ＣＰＵ３からの照明制御信号に従って蛍光灯をＯＮ、ＯＦＦ制御する。
　【００２８】
　ディスプレイ９は、ＣＰＵ３より画像信号を受信し、該信号に従って画像を表示する。
　【００２９】
　プリンタ１０は、ＣＰＵ３よりプリント画像データを受信し、写真シール１４に画像を印刷して排出する。
　【００３０】
　スピーカ１５は、ＣＰＵ３より音声信号を受取り、該信号に従って音声を鳴らす。
　【００３１】
　ハードディスク１６は、アクションスタンプやペン等の描画用画像をペンデータとして記憶している。
　【００３２】
　以上のように構成された各装置による連写撮影方法の処理フローを次に示す。
　【００３３】
　まず、図３と共に、写真シール自動販売機１の全体的な処理フローを説明する。
　【００３４】
　利用者により貨幣（例えば硬貨）が投入口６ａに投入されると、図２に示す貨幣処理装置６は、真偽判別、金種判別を実行し、ＣＰＵ３に処理信号を送信する（ステップｎ１）。ディスプレイ９はＣＰＵ３からの画像信号に従って、連写撮影か単写撮影かを選択させる画面を表示し、スピーカ１５はＣＰＵ３からの音声信号に従って「どっちのモードにする？」とアナウンスを流す（ステップｎ２）。
　【００３５】
　タッチペン５ａを用いて利用者に撮影方法を選択されると、入力装置５からの入力信号に従って連写撮影処理（ステップｎ３）又は単写撮影処理（ステップｎ４）を実行するが、各撮影処理の詳細は後述する。
　【００３６】
　各撮影処理が終了するとＣＰＵ３は、写真シール１４がプリンタ１０から排出されることを、ディスプレイ９に対して画像信号を送信し、スピーカ１５に音声信号を送信する事により、映像と音声にて利用者に通知する（ステップｎ５）。
　【００３７】
　プリンタ１０は、ＣＰＵ３から受信したプリント画像データに従って印刷を実行し、写真シール１４を排出する（ステップｎ６）。
　【００３８】
　次に、図４と共に、連写撮影処理（ステップｎ３）の詳細（サブルーチン）について説明する。
　【００３９】
　連写撮影処理に入ると、ディスプレイ９は、ＣＰＵ３から受信した画像信号に従って、正面デジタルカメラ７ａか天井デジタルカメラ７ｂのどちらかのカメラを選択させる画面を表示する（ステップｎ３１）。このとき同時に、ストロボ照明装置８ａ、８ｃの充電を開始する。
　【００４０】
　利用者によって例えば正面デジタルカメラ７ａが選択されたとすると、入力装置５からの入力信号より、ＣＰＵ３は、正面デジタルカメラ７ａが選択されたことをＲＡＭ４に記憶させて、連写数を選択させる画面をディスプレイ９に表示させる（ステップｎ３２）。
　【００４１】
　利用者によって例えば４連写が選択されたとすると、入力装置５からの入力信号より、ＣＰＵ３は、４連写が選択されたことをＲＡＭ４に記憶させて、シール分割数を選択させる画面をディスプレイ９に表示させる（ステップｎ３３）。
　【００４２】
　利用者によって例えば８分割が選択されたとすると、入力装置５からの入力信号より、ＣＰＵ３は、８分割が選択されたことをＲＡＭ４に記憶させ、ストロボ照明装置８ａ、８ｃの充電が完了するまでの間、照明装置充電時間調整画面として「撮影準備中です。」とディスプレイ９に表示させる（ステップｎ３４）。
　【００４３】
　ストロボ充電が完了すると、ＣＰＵ３は、ディスプレイ９に対して画像信号を送信して撮影開始待ち画像表示をさせて利用者の撮影開始入力を待つ（ステップｎ３５）。同時に、ＣＰＵ３は、正面デジタルカメラ７ａからの画像データを受信し、ディスプレイ９にライブ表示（動画像表示）させる。
　【００４４】
　利用者によって入力装置５から撮影開始の入力信号を受信すると、ＣＰＵ３は、ディスプレイ９には画像信号で、スピーカには音声信号で、映像と音声の両方からカウントダウンによる撮影の予告を行う（ステップｎ３６）。
　【００４５】
　ＣＰＵ３は、切替え装置１３を通じて正面デジタルカメラ７ａにシャッタ信号を出力し、またストロボ照明装置８ａにシャッタ信号と同期した照明制御信号を送信して撮影を実行する。このとき、撮影画像をディスプレイ９に静止画表示させる（ステップｎ３７）。
　【００４６】
　ＣＰＵ３は、ディスプレイ９に再度ライブ画像を表示させ（ステップｎ３８）、前記正面デジタルカメラ７ａで撮影した画像をＲＡＭ４に記憶させる。この際、ディスプレイ９には、図６に示すように撮影済みの画像を小さく追加表示する。つまり、この段階でディスプレイ９は、大表示枠９ａにライブ表示を行い、小表示枠９ｂに撮影済みの映像をサムネイル画像にて静止画表示している。小表示枠９ｂには、連写による撮影枚数の増加に伴い順次追加表示を行う。
　【００４７】
　前述のステップｎ３６からステップｎ３９までのステップを、撮影回数が連写数（この例は４連写であるから４回）になるまで繰り返す（ステップｎ３９）。
　【００４８】
　４連写すべての撮影が終了すると、ＣＰＵ３は、ディスプレイ９に画像信号を送信し、「しばらくお待ちください。」と時間調整画面を表示させる（ステップｎ４０）。
　【００４９】
　ＣＰＵ３は、ＲＡＭ４に記憶されているすべての画像をディスプレイ９に表示させる。表示方法は、図６に示すように、大表示枠９ａに一画像を大きく表示し、小表示枠９ｂに全ての撮影画像をサムネイル画像として小さく表示する。利用者が入力装置５で前記小表示枠９ｂから任意のサムネイル画像を選択すると、ＣＰＵ３は、入力装置５からの入力信号に従って、選択されたサムネイル画像に対応する撮影画像を大表示枠９ａに表示するようにディスプレイ９に画像信号を送信する。利用者は、このようにして選択した撮影画像に対して、入力装置５のタッチペン５ａを用いてディスプレイ９の画面上で落書きが行えるが、落書き方法の詳細については後述する（ステップｎ４１）。
　【００５０】
　なお、前述のステップｎ３１で天井カメラ７ｂが選択された場合も、上述したステップで処理される。
　【００５１】
　次に、図５と共に、単写撮影処理（ステップｎ４）の詳細（サブルーチン）について説明する。
　【００５２】
　単写撮影処理に入ると、ＣＰＵ３は、ＲＡＭ４に記憶した変数であるカメラ選択回数と撮影時間を０にセットし、撮影時間のカウントを開始する（ステップｎ５１）。
　【００５３】
　ＣＰＵ３は、ディスプレイ９に画像信号を送信して、シール分割数を選択させる画面を表示させる（ステップｎ５２）。このとき同時に、ストロボ照明装置８ａ、８ｃの充電を開始する。
　【００５４】
　利用者によって例えば１５分割が選択されたとすると、入力装置５からの入力信号より、ＣＰＵ３は、１５分割が選択されたことをＲＡＭ４に記憶させ、ストロボ照明装置８ａ、８ｃの充電が完了するまでの間、照明装置充電時間調整画面として「撮影準備中です。」とディスプレイ９に表示させる（ステップｎ５３）。
　【００５５】
　ストロボ充電が完了すると、ＣＰＵ３はカメラ選択回数（カメラの選択を行う毎に増加する変数）が３（カメラの選択を許容する限度数）より小さければカメラ選択に進む（ステップｎ５４）。カメラ選択回数の方が大きい場合は、ＣＰＵ３は、ディスプレイ９に画像信号を送信し、最後のカメラ選択であることを表示させた後にカメラ選択に進む（ステップｎ５５）。
　【００５６】
　利用者によって例えば正面デジタルカメラ７ａが選択されたとすると、入力装置５からの入力信号より、ＣＰＵ３は、正面デジタルカメラ７ａが選択されたことをＲＡＭ４に記憶させる（ステップｎ５６）。このとき、最初の撮影でなければ撮影終了ボタンが画面に表示されており、カメラを選択されずに撮影終了ボタンを押下された場合は、ステップｎ６３に進む。
　【００５７】
　ＣＰＵ３は、ディスプレイ９に対して画像信号を送信して撮影開始待ち画像表示をさせて利用者の撮影開始入力を待つ。同時に、ＣＰＵ３は、正面デジタルカメラ７ｂからの画像データを受信し、ディスプレイ９にライブ表示（動画像表示）させる（ステップｎ５７）。
　【００５８】
　利用者によって入力装置５から撮影開始の入力信号が送信されると、ＣＰＵ３は、ディスプレイ９には画像信号で、スピーカには音声信号で、映像と音声の両方からカウントダウンによる撮影の予告を行う（ステップｎ５８）。
　【００５９】
　ＣＰＵ３は、切替え装置１３を通じて、正面デジタルカメラ７ａにシャッタ信号を、ストロボ照明装置８ａにシャッタ信号と同期した照明制御信号を送信し、撮影を実行する。このとき、撮影画像をディスプレイ９に静止画表示させる（ステップｎ５９）。
　【００６０】
　ＣＰＵ３は、ディスプレイ９に撮りなおしができる選択画面を表示させる。利用者に撮りなおしを選択された場合は、ステップｎ５７〜ｎ６０の処理を再度実行し、逆の場合は明るさ調整画面に進む（ステップｎ６０）。
　【００６１】
　ディスプレイ９には、ＣＰＵ３より送信される画像信号により、明るさ調整画面が表示される（ステップｎ６１）。
　【００６２】
　ＣＰＵ３は、カメラ選択回数が３より小さければステップｎ５４に戻る（ステップｎ６２）。
　【００６３】
　カメラ選択回数が３になれば撮影終了となり、ＣＰＵ３は、ディスプレイ９に画像信号を送信し、「しばらくお待ちください。」と時間調整画面を表示させる（ステップｎ６３）。
　【００６４】
　ＣＰＵ３は、ＲＡＭ４に記憶されているすべての画像をディスプレイ９に表示させる。表示方法は、図６に示すように、大表示枠９ａに一画像を大きく表示し、小表示枠９ｂに全ての撮影画像をサムネイル画像として小さく表示する。利用者が入力装置５で前記小表示枠９ｂから任意のサムネイル画像を選択すると、ＣＰＵ３は、入力装置５からの入力信号に従って、選択されたサムネイル画像に対応する撮影画像を大表示枠９ａに表示するようにディスプレイ９に画像信号を送信する。利用者は、このようにして選択した撮影画像に対して、入力装置５のタッチペン５ａを用いてディスプレイ９の画面上で落書きが行えるが、落書き方法の詳細については後述する（ステップｎ６４）。
　【００６５】
　なお、前述のステップｎ５６で天井カメラ７ｂが選択された場合も、上述したステップで処理される。
　【００６６】
　次に、落書き方法について説明する。
　【００６７】
　まず、図６と共に落書き時にディスプレイ９に表示される内容を説明する。大表示枠９ａは落書きする撮影画像を表示しており、ここに利用者が落書きを行う。大表示枠９ａに表示される画像は前述のとおり小表示枠９ｂのサムネイル画像から選択可能であり、選択したサムネイル画像に対応する撮影画像が大表示枠９ａに拡大表示される。
　【００６８】
　ペン種類選択枠９ｃはペンの種類を表示しており、自由曲線を描けるペン、色のついた縁をもった線が描ける縁取りペン、縁取りペンの周囲にラメ状のキラキラをつけたラメペン、比較的幅広いテクスチャつきの線が描けるテクスチャペン、半透明のテクスチャつきの線が描ける半透明テクスチャペン、もこもこした半透明の線が描ける液体ペン、用意されている画像をタッチペン５ａでタッチした座標（位置）に描けるスタンプ、タッチペン５ａの軌跡に形及び色が変化しながら描かれるコロコロスタンプ、タッチペン５ａでディスプレイ９にタッチしたときから離すまでの間、４コマの画像がアニメーション表示され、離したときの画像を描けるアクションスタンプなどのペンが選択可能になっている。
　【００６９】
　ペンタイプ表示枠９ｄは、ペン種類選択枠９ｃで選択した種類のペンに準備されているペンのタイプを表示、選択させる画面であり、ペン種類選択枠９ｃをタッチすると表示され、ペンタイプ表示枠９ｄのどれか一つを選択すると消えて落書き可能になる。
　【００７０】
　画像回転ボタン９ｅは、タッチする事により大表示枠９ａに表示されている落書き画像を９０度単位で回転させる。
　【００７１】
　消しゴム９ｆは消しゴム機能を有するペンで、これをタッチすると大表示枠９ａに描かれている落書きを消すことができる。
　【００７２】
　やりなおしボタン９ｇは、直前の落書きを取消すことができ、４回前まで戻ることができる。
　【００７３】
　はじめからやりなおしボタン９ｈは、はじめからやりなおしをしたい場合に利用するボタンで、タッチすると大表示枠９ａに表示されている落書き中画像が全く落書きされていない状態に戻る。
　【００７４】
　制限時間９ｉは制限時間をカウントダウン表示しており、０になると落書きを強制終了して印刷処理に移行する。
　【００７５】
　落書き終了ボタン９ｊは、タッチされる事により落書きを終了して印刷処理に移行する。
　【００７６】
　次に図７に示す画像処理の概念図と共に、前述した図６の各ボタンの機能を実行可能にするハードウェア上の処理について説明する。図７において、図中の白の四角はハードウェアを示し、グレーの四角は画像データを示し、長円は処理を示している。
　【００７７】
　共有メモリ４ｂには最大でＡからＦまでの６枚の落書き中画像と、最大でＡからＦまでの６枚の撮影画像が記憶され、ハードディスク１６にはアクションスタンプやペン等のペンデータが画像として記憶されている。ローカルメモリ４ａには共有メモリ４ｂ及びハードディスク１６から必要なデータを読み込んで記憶し、各処理を実行可能な状態にする。
　【００７８】
　まず落書き画像を切換えるサムネイル切換え処理について説明する。図６に示したディスプレイ９の小表示枠９ｂには、共有メモリ４ｂより撮影画像を読み込んで生成したサムネイル画像が表示され、該サムネイル画像はローカルメモリ４ａに記憶する。利用者がタッチペン５ａにて例えばサムネイル画像Ａをタッチするとサムネイル切換え処理に入り、ＣＰＵ３からの更新指示に従って共有メモリ４ｂより落書き中画像Ａがディスプレイ９の大表示枠９ａに表示され、サムネイル切換え処理が終了する。
　【００７９】
　次に、やりなおしボタン９ｇのやりなおし処理について説明する。利用者に落書きされると、落書き１回ごとにローカルメモリ４ａに記憶されているやりなおし用画像Ｊにやりなおし用画像Ｉを上書き、やりなおし用画像Ｉにやりなおし用画像Ｈを上書き、やりなおし用画像Ｈにやりなおし用画像Ｇを上書きし、前記落書き前の画像をやりなおし用画像Ｇとしてローカルメモリ４ａに記憶する。利用者にタッチペン５ａにてやりなおしボタン９ｇをタッチされると、ＣＰＵ３は更新信号を発信し、ローカルメモリ４ａに記憶しているやりなおし画像Ｇを大表示枠９ａに表示させて落書き編集での落書きを１回分元に戻す。
　【００８０】
　次にはじめからやりなおしボタン９ｈのはじめからやりなおしについて説明する。利用者にはじめからやりなおしボタン９ｈをタッチペン５ａにてタッチされると、ＣＰＵ３は撮影画像Ａを共有メモリ４ｂより読み込み、大表示枠９ａに表示させて落書き編集での表示を全く落書きされていない状態に戻す。
　【００８１】
　次にペンについて説明する。ペンの画像データはハードディスク１６に記憶されており、落書き時にはローカルメモリ４ａにコピーして使用する。ペンタイプ表示枠９ｄにはローカルメモリ４ａに記憶されているアクションスタンプａ１等の画像データを表示し、利用者が選択したペンで落書きを行うと、ローカルメモリ４ａに記憶している画像データにて落書きを実行する。
　【００８２】
　以上のハードウェア上の処理によって実行される落書き処理において、この発明の特徴点であるアクションスタンプについて以下に説明する。
　【００８３】
　アクションスタンプは４枚の同一サイズの画像からなり、表示方法、表示順序、表示座標の設定により様々なタイプが存在する。表示方法には入替表示又は追加合成表示の設定があり、表示順序にはランダム又はシーケンシャルの設定があり、表示座標にはランダム又は座標固定の設定がある。前述の設定によって作成されるタイプの例として、順次画像を入れ替えて表示する入替タイプ、順次画像を重ねていく追加合成タイプ、画像の座標がランダムに移動するランダム入替タイプなどのタイプがある。
　【００８４】
　図８は、前述の入替タイプを表し、表示方法を入替表示、表示順序をシーケンシャル、表示座標を座標固定に設定している。
　【００８５】
　図中の（０）はアクションスタンプａの元になる４枚のアクションスタンプａ１からａ４を示し、表示順序がシーケンシャルであるので左から順番に表示する。これらのアクションスタンプａ１からａ４には、各画像と対になるマスク画像が存在しており、実際に描画する際にはマスク画像で切り抜いた画像を描画し、各アクションスタンプａ１からａ４において空白になっている描画不要部分は描画しないようになっている。すなわち、このアクションスタンプａ１からａ４に関しては、星マーク１つと円マーク２つのみを描画する。
　【００８６】
　まず、利用者にタッチペン５ａでディスプレイ９の大表示枠９ａをタッチされると、ＣＰＵ３は図中の（１）に示すように１枚目のアクションスタンプａ１をタッチされた座標に表示させる。
　【００８７】
　前記表示から０．２秒経過すると、ＣＰＵ３はアクションスタンプａ１の表示を終了し、変わりに（２）に示すようにアクションスタンプａ２を前述と同じ座標に表示させて、アクションスタンプａ１をアクションスタンプａ２に入れ替える。
　【００８８】
　さらに０．２秒経過後には、前述の入れ替えと同様にして（３）に示すようにアクションスタンプａ２をアクションスタンプａ３に入れ替え、その０．２秒後には（４）に示すようにアクションスタンプａ３をアクションスタンプａ４に入れ替える。
　【００８９】
　アクションスタンプａ４を表示させて０．２秒経過すると、再度アクションスタンプａ１を入替表示させて、前述のサイクルを繰り返す。
　【００９０】
　このとき利用者にタッチペン５ａをディスプレイ９から離されると、その時点で表示しているアクションスタンプａ１を落書き画像として決定し、共有メモリ４ａに記憶している落書き中画像Ａにアクションスタンプａ１を書き込んだ画像を上書きする。当然ローカルメモリ４ａに記憶されているやりなおし画像ＧからＦについても前述のように繰り下がり、やりなおし画像Ｇにはアクションスタンプａ１を書き込む直前の画像が上書きされる。
　【００９１】
　次に図９と共に追加合成タイプについて説明する。前述の入替タイプとは表示方法を追加合成表示に設定しているところが異なり、表示順序をシーケンシャル、表示座標を座標固定に設定しているところは同じである。
　【００９２】
　図中の（０）は、前述の入替タイプと同様にアクションスタンプｂの元になる４枚のアクションスタンプｂ１からｂ４を示す。
　【００９３】
　まず、利用者にタッチペン５ａでディスプレイ９の大表示枠９ａをタッチされると、ＣＰＵ３は図中の（１）に示すように１枚目のアクションスタンプｂ１をタッチされた座標に表示させる。
　【００９４】
　前記表示から０．２秒経過すると、ＣＰＵ３はアクションスタンプｂ１の表示を継続したまま、さらに（２）に示すようにアクションスタンプｂ２を前述と同じ座標に表示させて、アクションスタンプｂ２を追加合成表示する。
　【００９５】
　さらに０．２秒経過後には、前述の追加合成と同様にして（３）に示すようにアクションスタンプｂ３を追加合成表示し、その０．２秒後には（４）に示すようにアクションスタンプｂ４を追加合成表示する。
　【００９６】
　アクションスタンプｂ４を表示させて０．２秒経過すると、今度はアクションスタンプｂ２からｂ４の表示を終了し、アクションスタンプｂ１のみを表示して（１）の状態に戻し、前述のサイクルを繰り返す。
　【００９７】
　このとき利用者にタッチペン５ａをディスプレイ９から離されると、その時点で表示しているアクションスタンプｂの状態、つまり（１）の状態を落書き画像として決定し、前述の入替タイプと同様にして落書き中画像及びやりなおし用画像を更新する。
　【００９８】
　なお、追加合成タイプにおいては前述の（４）の状態の次は（１）の状態に戻るのではなく、アクションスタンプｂ１から順に表示を終了するなど、そのアクションスタンプの画像に応じて様々なサイクルが可能であり、前述のサイクルに限定するものではない。
　【００９９】
　次に図１０と共にランダム入替タイプについて説明する。前述の入替タイプとは表示座標をタッチされた座標から一定の範囲内でランダムに設定しているところが異なり、表示方法を入替表示、表示順序をシーケンシャルに設定しているところは同じである。
　【０１００】
　図中の（０）は、前述の入替タイプと同様にアクションスタンプｃの元になる４枚のアクションスタンプｃ１からｃ４を示す。
　【０１０１】
　まず、利用者にタッチペン５ａでディスプレイ９の大表示枠９ａをタッチされると、ＣＰＵ３は図中の（１）に示すように１枚目のアクションスタンプｃ１をタッチされた座標から一定の範囲内、例えばタッチされた座標から縦横２０ピクセルの範囲内でランダムの座標に表示させる。
　【０１０２】
　前記表示から０．２秒経過すると、ＣＰＵ３はアクションスタンプｃ１の表示を終了し、変わりに（２）に示すようにアクションスタンプｃ２を前述と同じ範囲内でランダムの座標に表示させて、アクションスタンプｃ１をアクションスタンプｃ２に入れ替える。
　【０１０３】
　さらに０．２秒経過後には、前述の入れ替えと同様にして（３）に示すようにアクションスタンプｃ２をアクションスタンプｃ３に入れ替え、その０．２秒後には（４）に示すようにアクションスタンプｃ３をアクションスタンプｃ４に入れ替える。
　【０１０４】
　アクションスタンプｃ４を表示させて０．２秒経過すると、再度アクションスタンプｃ１を入替表示させて、前述のサイクルを繰り返す。
　【０１０５】
　このとき利用者にタッチペン５ａをディスプレイ９から離されると、その時点で表示しているアクションスタンプｃの状態、つまりアクションスタンプｃ１を落書き画像として決定し、前述の入替タイプと同様にして落書き中画像及びやりなおし用画像を更新する。
　【０１０６】
　以上、代表的なアクションスタンプのタイプについて説明したが、画像表示を順番どおりかランダムにするか、座標を固定するかランダムにするか、画像を入れ替えるか重ねていくかといった３項目の組合せは自由に設定可能であり、アクションスタンプのタイプは前述のタイプに限定されるものではない。
　【０１０７】
　この発明の構成と、上述の実施形態との対応において、
この発明のカメラは、実施形態のデジタルカメラ７に対応し、
以下同様に、
入力手段は、入力装置５に対応し、
制御手段は、ＲＯＭ２、ＣＰＵ３、ＲＡＭ４に対応し、
描画用画像は、アクションスタンプに対応し、
タッチパネルは、ディスプレイ９に対応し、
写真シールシートは、写真シール１４に対応するも、
この発明は、上述の実施形態の構成のみに限定されるものではない。
　【０１０８】
　【発明の効果】
　この発明により、描画用画像を集約して表示できるようになり、好みのタイプのペンを探す利用者の探しやすさを向上し、選択に要する時間を減少することができる。
　【０１０９】
　また、描画用画像の変化は使用して初めて見ることができるため、指定した位置での描画用画像の変化自体を楽しむことができる。
　【０１１０】
　さらに、描画用画像の位置および変化によっては、利用者が意図する描画効果と異なる描画効果を発見できるため、落書きに対する娯楽性がより一層向上する。
【図面の簡単な説明】
　【図１】写真シール自動販売機の斜視図
　【図２】写真シール自動販売機の回路ブロック図
　【図３】写真シール自動販売機の全体の処理フロー図
　【図４】写真シール自動販売機の連写撮影の処理フロー図
　【図５】写真シール自動販売機の単写撮影の処理フロー図
　【図６】落書き時のディスプレイの正面図
　【図７】画像処理の概念図
　【図８】描画用画像入替処理の説明図
　【図９】描画用画像追加合成処理の説明図
　【図１０】描画用画像ランダム入替処理の説明図
　【符号の説明】
　１…写真シール自動販売機
　２…ＲＯＭ
　３…ＣＰＵ
　４…ＲＡＭ
　５…入力装置
　５ａ…タッチペン
　７…デジタルカメラ
　９…ディスプレイ及びタッチパネル
　１０…プリンタ
　１４…写真シール